(57)【特許請求の範囲】
【請求項１】
筐体と、
前記筐体に対してスライド移動可能に支持された取手と、
前記筐体に設けられ、前記取手のスライド移動を案内するとともに前記取手を最大位置まで引き出した際に、前記取手の端部を支持するガイドレールと、
前記取手のスライド方向における端部に設けられ、前記ガイドレールの前記取手の端部を支持する面の反対面と下方から接触して前記ガイドレールを支持する支持部材と、を備えた、
ことを特徴とする画像形成装置。
【請求項２】
前記ガイドレールは、前記支持部材が接触する位置で前記取手を案内する案内面に凹部を、前記取手はスライド方向における端部に前記案内面へ向って突出する凸部をそれぞれ有し、前記取手を引き出した際、前記取手の前記凸部が前記案内面の前記凹部に係合することにより、前記取手が前記スライド移動方向において前記ガイドレールに固定される、
ことを特徴とする請求項１に画像形成装置。
【請求項３】
前記筐体は、前記取手が挿入される開口部に切り欠き部を有し、前記取手は前記取手を引き出した際に、前記切り欠き部に嵌合して前記スライド移動方向と交差する方向の動きが規制される突起部を有する、
ことを特徴とする請求項１又は２に記載の画像形成装置。
【請求項４】
前記取手は、断面コの字状の板部材が互いに向き合うように嵌め合わされて断面矩形状とされ、前記取手が引き出され前記筐体と接触する位置で前記板部材が互いに密着するように締結されている、
ことを特徴とする請求項１ないし３のいずれか１項に記載の画像形成装置。
【請求項５】
筐体と、
前記筐体に対してスライド移動可能に支持された取手と、
前記筐体に設けられ、前記取手のスライド移動を案内するガイドレールと、
前記取手のスライド方向における端部に設けられ、前記ガイドレールの下面と接触して前記ガイドレールを支持する支持部材と、を備え、
前記ガイドレールは、前記案内面の一部を曲げ起こした曲げ起し部を有し、前記取手は、前記取手を最大位置まで引き出した際に、前記曲げ起し部に当接して前記スライド移動方向と交差する方向の動きが規制される絞り形状が形成されている、
ことを特徴とする画像形成装置。
【請求項６】
筐体と、
前記筐体に対してスライド移動可能に支持された取手と、
前記筐体に設けられ、前記取手のスライド移動を案内するガイドレールと、
前記取手のスライド方向における端部に設けられ、前記ガイドレールの下面と接触して前記ガイドレールを支持する支持部材と、を備え、
前記取手は、断面コの字状の板部材にスペーサが嵌め合わされて断面矩形状とされ、前記取手が引き出され前記筐体と接触する位置で前記板部材が前記スペーサを介して締結されている、
ことを特徴とする画像形成装置。
【請求項７】
前記スペーサは、合成樹脂からなる、
ことを特徴とする請求項６に記載の画像形成装置。
【請求項８】
前記断面矩形状は、矩形断面の長手辺が前記筐体の上下方向である、
ことを特徴とする請求項１ないし７のいずれか１項に記載の画像形成装置。
【発明の詳細な説明】
【技術分野】
【０００１】
本発明は、画像形成装置に関する。
【背景技術】
【０００２】
機器に装備された運搬用の取手において、取手は、機器本体内の退避位置から機器側方外部へ出没可能に支持されると共に、機器本体から側方へ突出した取手を突出状態に維持する力を解除した時には取手に外力を加えなくても機器本体内に退避するように構成した機器運搬用の取手が知られている（特許文献１）。
【先行技術文献】
【特許文献】
【０００３】
【特許文献１】特開２０００−２５８９６９号公報
【発明の概要】
【発明が解決しようとする課題】
【０００４】
本発明は、引き出し方式の取手及びこれを案内するガイドレールの変形を抑制することができる画像形成装置を提供することを目的とする。
【課題を解決するための手段】
【０００５】
前記課題を解決するために、請求項１に記載の画像形成装置は、
筐体と、
前記筐体に対してスライド移動可能に支持された取手と、
前記筐体に設けられ、前記取手のスライド移動を案内するとともに前記取手を最大位置まで引き出した際に、前記取手の端部を支持するガイドレールと、
前記取手のスライド方向における端部に設けられ、前記ガイドレールの前記取手の端部を支持する面の反対面と下方から接触して前記ガイドレールを支持する支持部材と、を備えた、
ことを特徴とする。
【０００６】
請求項２に記載の発明は、請求項１に記載の画像形成装置において、
前記ガイドレールは、前記支持部材が接触する位置で前記取手を案内する案内面に凹部を、前記取手はスライド方向における端部に前記案内面へ向って突出する凸部をそれぞれ有し、前記取手を引き出した際、前記取手の前記凸部が前記案内面の前記凹部に係合することにより、前記取手が前記スライド移動方向において前記ガイドレールに固定される、
ことを特徴とする。
【０００７】
請求項３に記載の発明は、請求項１又は２に記載の画像形成装置において、
前記筐体は、前記取手が挿入される開口部に切り欠き部を有し、前記取手は前記取手を引き出した際に、前記切り欠き部に嵌合して前記スライド移動方向と交差する方向の動きが規制される突起部を有する、
ことを特徴とする。
【０００８】
請求項４に記載の発明は、請求項１ないし３のいずれか１項に記載の画像形成装置において、
前記取手は、断面コの字状の板部材が互いに向き合うように嵌め合わされて断面矩形状とされ、前記取手が引き出され前記筐体と接触する位置で前記板部材が互いに密着するように締結されている、
ことを特徴とする。
【０００９】
前記課題を解決するために、請求項５に記載の画像形成装置は、
筐体と、
前記筐体に対してスライド移動可能に支持された取手と、
前記筐体に設けられ、前記取手のスライド移動を案内するガイドレールと、
前記取手のスライド方向における端部に設けられ、前記ガイドレールの下面と接触して前記ガイドレールを支持する支持部材と、を備え、
前記ガイドレールは、前記案内面の一部を曲げ起こした曲げ起し部を有し、前記取手は、前記取手を最大位置まで引き出した際に、前記曲げ起し部に当接して前記スライド移動方向と交差する方向の動きが規制される絞り形状が形成されている、
ことを特徴とする。
【００１０】
前記課題を解決するために、請求項６に記載の画像形成装置は、
筐体と、
前記筐体に対してスライド移動可能に支持された取手と、
前記筐体に設けられ、前記取手のスライド移動を案内するガイドレールと、
前記取手のスライド方向における端部に設けられ、前記ガイドレールの下面と接触して前記ガイドレールを支持する支持部材と、を備え、
前記取手は、断面コの字状の板部材にスペーサが嵌め合わされて断面矩形状とされ、前記取手が引き出され前記筐体と接触する位置で前記板部材が前記スペーサを介して締結されている、
ことを特徴とする。
【００１１】
請求項７記載の発明は、請求項６に記載の画像形成装置において、
前記スペーサは、合成樹脂からなる、
ことを特徴とする。
【００１２】
請求項８記載の発明は、請求項１ないし７のいずれか１項に記載の画像形成装置において、
前記断面矩形状は、矩形断面の長手辺が前記筐体の上下方向である、
ことを特徴とする。
【発明の効果】
【００１３】
請求項１に記載の発明によれば、ガイドレールの下面と接触してガイドレールを支持する支持部材を有さない構成に比して、引き出し方式の取手をガイドするガイドレールの変形を抑制することができる。
請求項２に記載の発明によれば、引き出された取手の端部を支持部材で支持されたガイドレールで受けることができる。
請求項３に記載の発明によれば、引き出された取手のガタつきを抑制することができる。
請求項５に記載の発明によれば、引き出される取手のガタつきを抑制しつつ使用者が最大位置まで引き出されたことを感得することができる。
請求項４に記載の発明によれば、引き出された取手の変形を抑制することができる。
請求項６及び７に記載の発明によれば、取手を軽量化しつつ引き出された取手の変形を抑制することができる。
請求項８に記載の発明によれば、筐体のスペースの増大を抑制しつつ取手の強度を増大させることができる。
【図面の簡単な説明】
【００１４】
【図１】画像形成装置の内部構成を示す断面模式図である。
【図２】第１実施形態に係る画像形成装置の取手が引き出された筐体の画像読取装置側に視点をおいた斜視図である。
【図３】取手が引き出された筐体の正面図である。
【図４】引き出された取手の支持状態を示す斜視図である。
【図５】（ａ）は筐体の取手の支持部を示す平面図、（ｂ）は正面図である。
【図６】（ａ）は取手の平面図、（ｂ）は正面図、（ｃ）は縦断面図である。
【図７】（ａ）は変形例の取手の平面図、（ｂ）は正面図、（ｃ）は縦断面図である。
【図８】引き出された取手に作用する反力を示す断面模式図である。
【図９】第２実施形態に係る画像形成装置の取手の引き出し側から取手が引き出された状態を示す斜視図、（ｂ）は筐体の内部側から取手が引き出された状態を示す斜視図である。
【図１０】（ａ）は筐体の取付孔を示す図、（ｂ）は取手の側面図である。
【図１１】取手の支持部と取手との関係を取手が引き出された状態で示す平面図である。
【発明を実施するための形態】
【００１５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１６】
「第１実施形態」
（１）画像形成装置の全体構成
図１は画像形成装置１の全体構成を示す縦断面図、図２は取手１５０が引き出された筐体１００の画像読取装置３側に視点をおいた斜視図、図３は取手１５０が引き出された筐体１００の正面図である。
以下、図面を参照しながら、画像形成装置１の全体構成を説明する。
【００１７】
画像形成装置１は、電子写真方式によって画像を形成する画像形成部２と、原稿等の読み取りを行う画像読取装置３が読取装置支持部４によって画像形成部２の上方に支持されて構成されている。
画像形成部２は、筐体１００（図２に図示）内に、制御装置１０、給紙装置２０、感光体ユニット３０、現像ユニット４０、転写ユニット５０、定着ユニット６０が配置されている。画像形成部２の上面（Ｚ方向）には、画像が記録された用紙が排出・収容される排出トレイ部Ｔが形成されている。
給紙装置２０の下方には用紙搬送装置７０が装着され、多段用紙トレイを備えた構成となっている。
【００１８】
図２に示すように、画像形成装置１の筐体１００は、対面する第１側板１１０と第２側板１２０、第１側板１１０の左右から直立する第１支柱１１１、第２支柱１１２、第１側板１１０及び第２側板１２０を筐体底部で連結する底板１３０、第１支柱１１１と第２側板１２０を筐体上部で連結する第１連結部材１４１、第２支柱１１２と第２側板１２０を筐体上部で連結する第２連結部材１４２、第１支柱１１１と第２側板１２０を筐体下部で連結する第３連結部材１４３、第２支柱１１２と第２側板１２０を筐体下部で連結する第４連結部材１４４を含んで構成され、全体として枠構造をなしている。
【００１９】
第１側板１１０には、開口１１０ａが形成され、画像形成装置１の前面側から感光体ユニット３０、現像ユニット４０、転写ユニット５０（図１参照）を着脱可能としている。
筐体１００の左側方には、取手１５０が第１支柱１１１を貫通して引き出し可能に配置されている（図２、図３中  矢印参照）。
【００２０】
取手１５０は、第１支柱１１１から左側方（−Ｘ方向）に引き出され、筐体１００の他の領域に固定して設けられた取手部（不図示）とともに、人が把持しながら画像形成装置１を上方（Ｚ方向）に持ち上げる場合に用いられる。
一例として、取手１５０を第１支柱１１１から左側方に引き出して他の取手部とともに把持して画像形成装置１を上方に持ち上げて（Ｚ方向）、画像形成装置１の下方（−Ｚ方向）に用紙トレイＴ１、Ｔ２が多段に備えられた用紙搬送装置７０（図１参照）を装着する場合が挙げられる。
【００２１】
（２）取手の構成
図４は引き出された取手１５０の支持状態を示す斜視図、図５（ａ）は筐体１００の取手１５０の支持部を示す平面図、（ｂ）は正面図、図６（ａ）は取手１５０の平面図、（ｂ）は正面図、（ｃ）は縦断面図、図７（ａ）は変形例の取手１５０Ａの平面図、（ｂ）は正面図、（ｃ）は縦断面図である。  
【００２２】
（２．１）取手の支持構成
図４に示すように、取手１５０は、筐体１００の第１支柱１１１の開口部としての取付孔１１１ａを貫通して、第１支柱１１１の左側方（−Ｘ方向）にスライド移動可能に支持されている。
第１側板１１０の下方（−Ｚ方向）には断面コの字状のガイドレール１１３が第１側板１１０に一体に形成され、取手１５０のスライド移動を案内する。
【００２３】
ガイドレール１１３の下方には、第１支柱１１１に支持部材１１４が固定され、下方から接触してガイドレール１１３を支持している。
【００２４】
図５に示すように、ガイドレール１１３の案内面１１３ａには、凹部１１３ｂが形成されている。凹部１１３ｂは、後述する取手１５０のスライド方向における端部に設けられた凸部１５４と係合して、引き出される取手１５０を引き出し方向に固定する。
【００２５】
支持部材１１４は、支持面１１４ａがガイドレール１１３の凹部１１３ｂの反対面に接触した状態で第１支柱１１１に固定され、ガイドレール１１３の案内面１１３ａを下方から支持する。
【００２６】
（２．２）取手の構成
図６に示すように、取手１５０は、断面コの字状の板部材１５１、１５２が互いに向き合うように嵌め合わされて断面矩形状とされ、板部材１５１、１５２の長手方向における中間部で板部材１５１、１５２が互いに密着するようにネジＳでネジ締結されている。
【００２７】
図６（ｃ）に示すように、板部材１５１、１５２が嵌め合わされて断面矩形状とされた取手１５０は、矩形断面の長手辺が第１支柱１１１の上下方向（Ｚ方向）となるように第１支柱１１１に貫通して配置される。
その結果、筐体１００のスペースの増大を抑制しつつ取手１５０の強度を増大させている。
【００２８】
取手１５０のスライド方向における端部にはガイドレール１１３の案内面１１３ａに突出して凸部１５４が形成されている。引き出される取手１５０は、凸部１５４がガイドレール１１３の案内面１１３ａに形成された凹部１１３ｂと係合して、引き出し方向に固定される。
【００２９】
取手１５０の引き出し側端部には、カバー材１５３がネジ固定されている。カバー材１５３にはレバー部１５３ａが弾性変形可能に設けられ、取手１５０が筐体１００内に収納された場合に、第１支柱１１１に係合して収納状態が保持される。
【００３０】
「変形例」
取手１５０Ａは、図７に示すように、断面コの字状の板部材１５１Ａにスペーサ１５２Ａが嵌め合わされて断面矩形状とされ、板部材１５１Ａの長手方向における中間部で板部材１５１Ａがスペーサ１５２Ａを介してネジ締結されている。
【００３１】
スペーサ１５２Ａは、カバー材１５３Ａの一端側にカバー材１５３Ａと合成樹脂を用いて一体として形成され、断面コの字状の板部材１５１Ａに嵌め合わされている。
その結果、取手１５０Ａを軽量化しつつ強度を増大させている。
【００３２】
（３）取手の作用
図８は引き出された取手１５０に作用する反力を示す断面模式図である。
図８に示すように、画像形成装置１を取手１５０を用いて上方に持ち上げる場合には、第１支柱１１１を貫通して第１側板１１０と一体に形成されたガイドレール１１３内に収納されている取手１５０をスライド移動させて筐体１００の左側方（−Ｘ方向）に引き出す。
【００３３】
取手１５０は、スライド移動しながら、端部に形成された凸部１５４がガイドレール１１３の案内面１１３ａに形成された凹部１１３ｂと係合して引き出された状態に固定される。
取手１５０の固定位置においては、支持部材１１４が第１支柱１１１に固定され、支持面１１４ａがガイドレール１１３の凹部１１３ｂの反対面に接触した状態でガイドレール１１３を支持している。
【００３４】
係る状態で、取手１５０を把持して画像形成装置１を持ち上げる場合には、取手１５０の引き出された部分を力点として装置本体の全体重量に応じて上方に向けて持ち上げ力Ｆを作用させる。
取手１５０の作用点に持ち上げ力Ｆを作用させると、取手１５０の凸部１５４とガイドレール１１３の凹部１１３ｂの接触点を支点、取手１５０の中間部分で第１支柱１１１の取付孔１１１ａと接触する位置を作用点として、支点には反力Ｆ１が、作用点には反力Ｆ２が発生する。
【００３５】
支点に発生する反力Ｆ１は、取手１５０の凸部１５４が接触するガイドレール１１３の凹部１１３ｂを変形させるように作用するが、支持部材１１４が第１支柱１１１に固定され、支持面１１４ａがガイドレール１１３の凹部１１３ｂの反対面に接触した状態でガイドレール１１３を支持しているために、ガイドレール１１３の変形が抑制される。
【００３６】
作用点に発生する反力Ｆ２は、取手１５０を構成する板部材１５１、１５２を屈曲させるように作用するが、板部材１５１、１５２は、矩形断面の長手辺が第１支柱１１１の上下方向（Ｚ方向）となるように配置されているために、取手１５０の屈曲方向の強度が増大されている。
【００３７】
また、板部材１５１、１５２は、板部材１５１、１５２の長手方向における中間部で板部材１５１、１５２が互いに密着するようにネジ締結されているために、作用点近傍において板部材１５１、１５２形成する矩形断面形状が維持され、屈曲方向と交差する方向の変形も抑制され、屈曲方向の強度の低下を抑制している。
【００３８】
「第２実施形態」
図９（ａ）は取手１５０Ｂの引き出し側から取手１５０Ｂが引き出された状態を示す斜視図、（ｂ）は筐体１００Ａの内部側から取手１５０Ｂが引き出された状態を示す斜視図、図１０（ａ）は筐体１００Ａの取付孔１１１Ａａを示す図、（ｂ）は取手の側面図、図１２は筐体１００Ａの取手１５０Ｂの支持部と取手１５０Ｂとの関係を取手１５０Ｂが引き出された状態で示す平面図である。
以下、図面を参照しながら本実施形態に係る画像形成装置１Ａの取手１５０Ｂの構成と作用について説明するが、第１実施形態に係る画像形成装置１と同一の構成要素には同一の符号を付し、その詳細な説明は省略する。
【００３９】
（１）全体構成
図９（ａ）に示すように、筐体１００Ａの左側方には、取手１５０Ｂが第１支柱１１１Ａの開口部としての取付孔１１１Ａａを貫通して引き出し可能に配置されている（図９中  矢印参照）。
取手１５０Ｂは、第１支柱１１１Ａから取付孔１１１Ａａを貫通して左側方（図１  −Ｘ方向参照）に最大位置まで引き出された際に、取付孔１１１Ａａの上部に形成された切り欠き部１１１Ａｂに取手１５０Ｂの突起部１５１Ｂａが勘合してスライド移動方向（引き出し方向）と交差する方向の動きが規制される構成となっている。
【００４０】
図９（ｂ）に示すように、取手１５０Ｂは最大位置まで引き出された際に、ガイドレール１１３Ａの案内面１１３Ａａに曲げ起こして形成された曲げ起し部１１３Ａｂに取手１５０Ｂに形成された凸状の絞り形状１５１Ｂｂが当接してスライド移動方向（引き出し方向）と交差する方向の動きが規制され、使用者が最大位置まで引き出されたことを感得することができる構成となっている。
【００４１】
（２）筐体と取手の構成
図１０（ａ）に示すように、第１支柱１１１Ａには取手１５０Ｂがスライド移動可能に挿入される開口部としての取付孔１１１Ａａが板厚方向に貫通して形成されている。
取付孔１１１Ａａの幅（Ｙ方向）及び高さ（Ｚ方向）は取手１５０Ｂの矩形状断面に合わせて形成されているが、取手１５０Ｂがスライド移動するために適度なクリアランスを有するように形成されている。
そのために、取手を最大位置まで引き出した際に、スライド移動方向と交差する方向のガタつきが発生して、取手が不安定な状態で保持されてしまい、操作性が悪化する虞があった。
【００４２】
本実施形態に係る画像形成装置１Ａの第１支柱１１１Ａの取付孔１１１Ａａには、図１０（ａ）に示すように、その一端の上部に切り欠き部１１１Ａｂが形成されている。
この取付孔１１１Ａａに挿入される取手１５０Ｂには、図１０（ｂ）に示すように、板部材１５１Ｂの長手方向における中間部に、突起部１５１Ｂａが突出するように形成されている。
【００４３】
このように構成された取手１５０Ｂを最大位置まで引き出すと、突起部１５１Ｂａが第１支柱１１１Ａの取付孔１１１Ａａの上部に形成された切り欠き部１１１Ａｂに嵌り込んでスライド移動方向と交差する方向の動きが規制される。
そのために、第１支柱１１１Ａの取付孔１１１Ａａに取手１５０との適度なクリアランスがあっても、幅方向の動きが規制されて取手１５０Ｂは安定した状態で保持される。
【００４４】
取手１５０Ｂのスライド移動を下側から支えながら案内するガイドレール１１３Ａの案内面１１３Ａａには、図１１に示すように、案内面１１３Ａａの一部を曲げ起こした曲げ起し部１１３Ａｂが形成されている。
ガイドレール１１３Ａをスライド移動する取手１５０Ｂの板部材１５１Ｂの側面には表面側に突出した絞り形状１５１Ｂｂが形成されている。
【００４５】
このように構成された取手１５０Ｂを引き出す際には、板部材１５１Ｂの側面が曲げ起し部１１３Ａｂに接触しながらスライド移動して取手１５０Ｂの幅方向のガタつきが抑制され、最大位置まで引き出された場合には、絞り形状１５１Ｂｂが曲げ起し部１１３Ａｂに当接して、引き出し方向と交差する方向の動きを抑制するとともに使用者が最大位置引き出したとこを感得することができる。
【００４６】
本実施形態に係る画像形成装置１Ａによれば、使用者が引き出した取手を持つ際に、取手のガタつきが抑制されて、かつ、使用者に最大位置まで引き出されたことが感得され操作性がより向上する。
【符号の説明】
【００４７】
１・・・画像形成装置
２・・・画像形成部
３・・・読取部
４・・・読取装置支持部
１０・・・制御装置
２０・・・給紙装置
３０・・・感光体ユニット
４０・・・現像ユニット
５０・・・転写ユニット
６０・・・定着ユニット
７０・・・用紙搬送装置
１００、１００Ａ・・・筐体
１１０・・・第１側板
１１１、１１１Ａ・・・第１支柱
１１１ａ、１１１Ａａ・・・取付孔
１１１Ａｂ・・・切り欠き部
１１２・・・第２支柱
１１３・・・ガイドレール
１１３a・・・案内面
１１３ｂ・・・凹部
１１４・・・支持部材
１１４ａ・・・支持面
１２０・・・第２側板
１３０・・・底板
１４１・・・第１連結部材
１４２・・・第２連結部材
１４３・・・第３連結部材
１４４・・・第４連結部材
１５０、１５０Ａ・・・取手
１５１、１５１Ａ、１５１Ｂ、１５２・・・板部材
１５１Ｂａ・・・突起部
１５１Ｂｂ・・・曲げ起し部
１５２Ａ・・・スペーサ
１５３、１５３Ａ・・・カバー材
１５４・・・凸部
【図１】
0006740701.tif 000002
【図２】
0006740701.tif 000003
【図３】
0006740701.tif 000004
【図４】
0006740701.tif 000005
【図５】
0006740701.tif 000006
【図６】
0006740701.tif 000007
【図７】
0006740701.tif 000008
【図８】
0006740701.tif 000009
【図９】
0006740701.tif 000010
【図１０】
0006740701.tif 000011
【図１１】
0006740701.tif 000012